(57)【要約】【課題】短時間で確実にリーク判定が行なえるミスト発生装置を提供する。【解決手段】熱媒循環路５内の熱媒体の温度を検出する熱媒温度検出手段８１、熱媒循環路５に設ける流量制御弁７２、液々熱交換器６１よりも上流側のミスト用給水路６３に設ける給水弁７３、液々熱交換器６１よりも下流側のミスト用給水路６３に設けるミスト弁７４、ミスト用給水路６３から分岐する排水路６４に設ける排水弁７５、各弁の開閉を制御する制御部６５を備える。制御部６５は、ミスト運転制御終了後に、流量制御弁７２及びミスト弁７４を閉じ、給水弁７３及び排水弁７５を開いた状態で液々熱交換器６１におけるミスト用給水路６３内の温水を所定時間排水した後、給水弁７３及び排水弁７５を閉じて熱媒温度検出手段８１により検出される熱媒循環路５内の熱媒体の温度低下に基づいて液々熱交換器６１におけるリーク発生の有無を判定する制御構成とする。【選択図】図２
2011058769.tif 000002
【特許請求の範囲】
【請求項１】
熱源機で加熱された温水を循環ポンプの駆動により循環供給させる熱媒循環路の一部とミストノズルヘッドにミスト用水を供給するミスト用給水路の一部が隣接されて構成され、熱媒循環路を流れる熱媒体によりミスト用給水路を流れるミスト用水を加熱する液々熱交換器を備えるミスト発生装置において、
前記熱媒循環路内の熱媒体の温度を検出する熱媒温度検出手段と、
前記熱媒循環路に設けられ、閉弁で液々熱交換器への熱媒体の供給を遮断する流量制御弁と、
前記液々熱交換器よりも上流側のミスト用給水路に設けられ、閉弁で液々熱交換器への給水を遮断する給水弁と、
前記液々熱交換器よりも下流側のミスト用給水路に設けられ、閉弁でミストノズルヘッドへの給水を遮断するミスト弁と、
前記液々熱交換器よりも下流側のミスト用給水路から分岐する排水路に設けられ、開弁でミスト用給水路の排水がなされる排水弁と、
前記の流量制御弁、給水弁、ミスト弁及び排水弁の開閉を制御する制御部とを備え、
前記制御部は、ミスト運転制御終了後に、流量制御弁及びミスト弁を閉じ、給水弁及び排水弁を開いた状態で液々熱交換器におけるミスト用給水路内の温水を所定時間排水した後、給水弁及び排水弁を閉じて熱媒温度検出手段により検出される熱媒循環路内の熱媒体の温度低下に基づいて液々熱交換器におけるリーク発生の有無を判定する制御構成とするミスト発生装置。
【請求項２】
請求項１に記載のミスト発生装置において、
前記熱媒循環路における流量制御弁を設けた位置とは液々熱交換器を介して反対側に前記熱媒温度検出手段と開閉弁とを設け、
前記制御部は、前記リークの判定中は前記開閉弁を開いた状態とする制御構成とするミスト発生装置。
【請求項３】
請求項１又は２に記載のミスト発生装置において、
前記液々熱交換器から流出するミスト用水の温度を検出するミスト用水温度検出手段をミスト用給水路又は排水路に設け、
前記制御部は、ミスト運転制御を終了して前記循環ポンプが完全に停止するのに十分な所定時間が経過すると給水弁及び排水弁を開き、ミスト用水温度検出手段の検出結果に基づいてミスト用水の温度が所定温度まで低下したときに給水弁及び排水弁を閉じる制御構成とするミスト発生装置。
【発明の詳細な説明】
【技術分野】
【０００１】
本発明は、例えば、浴室にミストを噴射させるためのミスト発生装置に関し、特に、ミスト用水を加熱する液々熱交換器のリークの有無を判定する機能を備えたミスト発生装置に関する。
【背景技術】
【０００２】
図１を参照して、ミスト発生装置は、水道水の水を浴室に設けるミストノズルヘッド３まで供給するミスト用給水路６３を備えている。このミスト用給水路６３の途中には、上流側から給水弁７３と、ミスト用水を所定温度まで加熱する液々熱交換器６１と、ミスト弁７４とが設けられている。
【０００３】
液々熱交換器６１は、例えば、熱源機４で加熱された高温の熱媒体が流れる熱媒循環路５１の一部とミスト用給水路６３の一部とを隣接するように隔壁６２で区画して一体に形成することにより構成されている。そして、この隔壁６２によって熱媒循環路５１を循環する高温の熱媒体とミスト用給水路６３を流れるミスト用水との間での熱交換を可能にしている。そのため、隔壁６２に孔明き等の損傷が発生すると熱媒循環路５１とミスト用給水路６３の間で内部液漏れするリークが生じてしまう。
【０００４】
このようなリークを検出するために、ミスト運転制御終了直後にミスト用給水路６３に設けたミスト弁７４は閉じた状態にして給水弁７３を開いてミスト用給水路６３内に水道水の圧力を作用させ、熱媒循環路５１の熱媒体の温度を経時的に検出し、検出された熱媒温度の変化状態に基づいてリーク発生の有無を判定するミスト発生装置がある（特許文献１）。これは、リークによってミスト用給水路６３から熱媒循環路５１内にミスト用水が流入すると熱媒循環路５１内の熱媒体の温度低下の度合いが自然放熱による温度低下の度合いよりも大きくなることを利用してリークの有無を判定している。
【先行技術文献】
【特許文献】
【０００５】
【特許文献１】特開２００７−２１２０９６号公報
【発明の概要】
【発明が解決しようとする課題】
【０００６】
ところで、前記ミスト発生装置によるリーク判定では、ミスト運転制御終了直後は液々熱交換器６１のミスト用給水路６３内に高温のミスト用水が存在している。そのため、液々熱交換器６１内でリークが発生していた場合、ミスト用給水路６３内から熱媒循環路５１に高温のミスト用水が流入された後に冷たいミスト用水が流入されて熱媒体の温度低下が始まる。その結果、熱媒循環路５１内の熱媒体の温度変化の度合いが自然放熱による温度低下の度合いよりも大きくなるまでに時間を要し、短時間で正確なリーク判定が行なえない。
【０００７】
また、熱媒循環路５１内の熱媒体は、冬季に凍りつかないようにするために不凍液を用いる。そのため、確実にリーク判定が行なえるまでに時間を要することから、リークが生じていると、熱媒循環路５１内に大量のミスト用水が流れ込んでしまう。その結果、不凍液の濃度が大幅に希釈され、再利用する場合には不凍液としての機能を有する濃度まで再調整が必要となる。
【０００８】
本発明は、前記事情に鑑みてなされ、短時間で確実にリーク判定が行なえるミスト発生装置を提供することを課題とする。
【課題を解決するための手段】
【０００９】
本発明に係るミストサウナ装置は、
熱源機で加熱された温水を循環ポンプの駆動により循環供給させる熱媒循環路の一部とミストノズルヘッドにミスト用水を供給するミスト用給水路の一部が隣接されて構成され、熱媒循環路を流れる熱媒体によりミスト用給水路を流れるミスト用水を加熱する液々熱交換器を備えるミスト発生装置において、
前記熱媒循環路内の熱媒体の温度を検出する熱媒温度検出手段と、
前記熱媒循環路に設けられ、閉弁で液々熱交換器への熱媒体の供給を遮断する流量制御弁と、
前記液々熱交換器よりも上流側のミスト用給水路に設けられ、閉弁で液々熱交換器への給水を遮断する給水弁と、
前記液々熱交換器よりも下流側のミスト用給水路に設けられ、閉弁でミストノズルヘッドへの給水を遮断するミスト弁と、
前記液々熱交換器よりも下流側のミスト用給水路から分岐する排水路に設けられ、開弁でミスト用給水路の排水がなされる排水弁と、
前記の流量制御弁、給水弁、ミスト弁及び排水弁の開閉を制御する制御部とを備え、
前記制御部は、ミスト運転制御終了後に、流量制御弁及びミスト弁を閉じ、給水弁及び排水弁を開いた状態で液々熱交換器におけるミスト用給水路内の温水を所定時間排水した後、給水弁及び排水弁を閉じて熱媒温度検出手段により検出される熱媒循環路内の熱媒体の温度低下に基づいて液々熱交換器におけるリーク発生の有無を判定する制御構成とする。  
【００１０】
前記構成より、リーク判定を開始する前にミスト用給水路内の高温のミスト用水を排水して常温のミスト用水を流入させるので、短時間で液々熱交換器内のミスト用水の温度を常温まで低下させることができる。これにより、リーク判定時の熱媒体の温度とミスト用水との温度差を大きくでき、液々熱交換器がリークしていた場合の熱媒温度検出手段での検知感度が高まり、熱媒体の温度低下度合によるリーク判定精度が高まり、早期に確実なリークの判定が可能となる。また、リーク箇所が最も温度の高いミスト用水が存在する液々熱交換器のミスト用水出口近くであっても、早期に確実なリーク判定を行なうことができる。
【００１１】
さらに、リーク判定時の熱媒体とミスト用水との温度差が大きいので、前記リークが発生している場合、熱媒循環路に混入するミスト用水のリーク量が少なくてもリーク判定開始時から短時間で熱媒体の温度が低下するので、リーク判定直後から温度低下の度合いが自然放熱による温度低下度合いよりも大きくなる。その結果、早期に確実なリーク判定を行なえるので、熱媒体として不凍液を用いた場合でも不凍液へのミスト用水の混入を抑制してリーク判定時の不凍液の希釈化を抑制できる。
【００１２】
前記ミスト発生装置において、
前記熱媒循環路における流量制御弁を設けた位置とは液々熱交換器を介して反対側に前記熱媒温度検出手段と開閉弁とを設け、
前記制御部は、前記リークの判定中は前記開閉弁を開いた状態とする制御構成とすることが好ましい。
【００１３】
これにより、リーク判定中は、熱媒循環路における液々熱交換器を介した一方側の流量制御弁は閉弁されているので、液々熱交換器を介した反対側の開閉弁を開弁することで、液々熱交換器の熱媒体は、熱媒循環路の熱媒温度検出手段を設けた開閉弁側に向かって流れ易くなる。従って、液々熱交換器でリークが発生していた場合は、熱媒循環路内に流入した常温のミスト用水が熱媒温度検出手段側へ流れ易くなり、熱媒温度検出手段での検知感度が向上する。
【００１４】
前記ミスト発生装置において、
前記液々熱交換器から流出するミスト用水の温度を検出するミスト用水温度検出手段をミスト用給水路又は排水路に設け、
前記制御部は、ミスト運転制御を終了して前記循環ポンプが完全に停止するのに十分な所定時間が経過すると給水弁及び排水弁を開き、ミスト用水温度検出手段の検出結果に基づいてミスト用水の温度が所定温度まで低下したときに給水弁及び排水弁を閉じる制御構成とすることが好ましい。
【００１５】
これにより、前記リーク判定を行なう際に、液々熱交換器のミスト用給水路からミスト用水を排水する時間をできるだけ短くすることができるので、ミスト用水の排水量をできるだけ少なくしてリーク判定に使用する水道量を抑制することができる。
【発明の効果】
【００１６】
以上のように、本発明に係るミスト発生装置によれば、液々熱交換器におけるミスト用給水路内のミスト用水の温度を常温まで低下させた後にリークの判定を行なうので、液々熱交換器がリークしていた場合の熱媒温度検出手段での検知感度が高まってリーク判定精度が高まり、早期に確実なリークの判定が可能となる。しかも、短時間でリーク判定が行なえることから、熱媒体として不凍液を用いていても熱媒循環路内に混入されるミスト用水のリーク量を抑制して不凍液の希釈化を抑制することができる。
【図面の簡単な説明】
【００１７】
【図１】ミスト発生装置によるミストサウナ機能を有するミストサウナ装置の全体構成の概略を示す構成図である。
【図２】実施の形態によるミスト発生装置のリーク判定処理を示すフローチャートである。
【図３】実施の形態によるミスト発生装置のリーク判定時の熱媒温度の温度変化を示すグラフである。
【発明を実施するための形態】
【００１８】
図１を参照して、ミストサウナ装置は、浴室１に配置される浴室暖房機２及びミストノズルヘッド３と、浴室１の外部に配置される熱源機４及びミストユニット６とで構成される。なお、ミストユニット及びミストノズルヘッドがミスト発生装置となる。浴室暖房機２は、浴室１内の空気を循環させる循環ファン２２と暖房用熱交換器２１とを内蔵している。暖房用熱交換器２１は、浴室１の外部(屋外等)に配置した熱源機４に熱媒循環路５及び暖房用熱媒循環路５２を介して接続されている。そして、熱源機４の循環ポンプ４１の駆動により、熱源機４で加熱された熱媒体(水、不凍液等)が熱媒循環路５及び暖房用熱媒循環路５２を介して暖房用熱交換器２１に供給され、暖房用熱交換器２１で加熱された空気が循環ファン２２により浴室１に循環されて、浴室１の暖房が行われる。
【００１９】
ミストノズルヘッド３には、水道管に接続されるミスト用給水路６３が接続されている。ミスト用給水路６３の途中には液々熱交換器６１が設けられ、ミスト用給水路６３に供給されるミスト用水が液々熱交換器６１で加熱されてミストノズルヘッド３から浴室１内に噴霧される。
【００２０】
熱源機４は、高温水となった熱媒体を熱媒循環路５を介してミストユニット６及び浴室暖房機２に循環供給するための循環ポンプ４１と、燃焼バーナの点消火制御及び循環ポンプ４１の駆動制御を行う熱源機コントローラ４２とを備えている。
【００２１】
熱源機４に接続する熱媒循環路５は、ミストユニット６内の液々熱交換器６１を通るミスト用熱媒循環路５１と、浴室暖房機２の暖房用熱交換器２１に接続される暖房用熱媒循環路５２とに分岐され、ミストユニット６及び浴室暖房機２を通過させた後に合流させている。暖房用熱媒循環路５２には熱動弁である開閉弁７１が介設されており、開閉弁７１の閉弁で浴室暖房機２への熱媒体の供給が遮断される。ミスト用熱媒循環路５１には熱媒体の流量を調節可能な流量制御弁７２が介設されており、流量制御弁７２の閉弁で液々熱交換器６１への熱媒体の供給が遮断される。また、暖房用熱媒循環路５２には、これに流れる熱媒体の温度を検出する熱媒温度センサ（熱媒温度検出手段）８１が設けられている。熱媒温度センサ８１は液々熱交換器６１と開閉弁７１との間に設けられている。
【００２２】
液々熱交換器６１は、熱媒体が流れるミスト用熱媒循環路５１の一部とミスト用水が流れるミスト用給水路６３の一部とが隔壁６２を介して一体的に隣接するように構成されている。そして、熱源機４で加熱された熱媒体をミスト用熱媒循環路５１を介して液々熱交換器６１に供給し、ミストノズルヘッド３に供給する水を液々熱交換器６１において熱媒体により加熱できるようにしている。
【００２３】
液々熱交換器６１の上流側のミスト用給水路６３の部分に給水弁７３を介設すると共に、液々熱交換器６１の下流側のミスト用給水路６３にミスト弁７４を介設し、給水弁７３の閉弁で液々熱交換器６１への給水が遮断され、ミスト弁７４の閉弁でミストノズルヘッド３への給水が遮断される。また、液々熱交換器６１とミスト弁７４との間のミスト用給水路６３には液々熱交換器６１から流出されるミスト用水の温度を検出するミスト用水温度センサ（ミスト用水温度検出手段）８２を設け、ミスト用水温度センサ８２の配置部とミスト弁７４との間のミスト用給水路６３から排水路６４を分岐接続し、この排水路６４に排水弁７５を介設している。
【００２４】
そして、ミストユニット６に設けたミストユニットコントローラ（制御部）６５には熱媒温度センサ８１とミスト用水温度センサ８２の検出信号が入力され、このミストユニットコントローラ６５により開閉弁７１、流量制御弁７２、給水弁７３、ミスト弁７４及び排水弁７５を制御するようにしている。ミストユニットコントローラ６５は、熱源機４の熱源機コントローラ４２に通信可能に接続されている。また、図示しないリモコンがミストユニットコントローラ６５に通信可能に接続され、リモコンに設けられたミストスイッチがオンされたときにミストユニットコントローラ６５によるミスト運転制御が行われる。
【００２５】
ミスト運転制御では、先ず、ミストユニットコントローラ６５は、熱源機４の熱源機コントローラ４２に作動指令を送って熱源機４を作動させると共に開閉弁７１及び流量制御弁７２を開弁させ、熱源機４で加熱された熱媒体を暖房用熱媒循環路５２を介して暖房用熱交換器２１に供給すると共に、ミスト用熱媒循環路５１を介して液々熱交換器６１に供給する。そして、熱媒温度センサ８１の検出温度が所定温度に上昇すると浴室暖房機２の循環ファン２２を回転させて暖房を開始する。次いで、この暖房により浴室１内が一定温度に上昇し、ミスト用水温度センサ８２の検出温度が所定の予熱完了温度に上昇したところで給水弁７３とミスト弁７４とを開弁させる。これにより、液々熱交換器６１で加熱された温水がミストノズルヘッド３に供給され、ミストノズルヘッド３から温水を噴霧するミスト運転が開始される。ミスト運転中は、ミスト用水温度センサ８２の検出温度が所定の設定温度に維持されるように、流量制御弁７２により熱媒体の流量を制御する温調制御を行う。そして、ミスト運転の停止時は、流量制御弁７２を閉弁して液々熱交換器６１への熱媒体の供給を停止すると共に、ミスト弁７４と給水弁７３を閉弁して液々熱交換器６１への給水を停止する。
【００２６】
ところで、ミストサウナ装置は、長期間使用すると、液々熱交換器６１において腐食等により隔壁６２に孔が開いて熱媒体とミスト用水との間のリークが生ずることがある。そこで、ミストユニットコントローラ６５は、液々熱交換器６１におけるリーク発生の有無を自動判定処理する機能も備えており、リーク発生有りと判定したときはユーザに対する所定の警報処理と共にミストサウナ装置の強制運転停止処理とを実行する。
【００２７】
リーク判定の制御動作は、図２のリーク判定フローを参照して、先ず、ミスト運転が停止されたか否かを判別する（Ｓ１）。ミスト運転が停止されたときは、熱源機コントローラ４２に燃焼バーナを消火し、循環ポンプ４１を停止するＯＦＦ信号を送信する（Ｓ２）。
【００２８】
また、開閉弁７１を開弁状態とし、ミスト運転停止時の熱媒体の温度を熱媒温度センサ８１で検知し（Ｓ３）、このときの検知温度を熱媒体の初期温度Ｔ0としてミストユニットコントローラ６５のメモリ(図示せず)に記憶させる。このとき、熱源機コントローラ４２へＯＦＦ信号を送信しても循環ポンプ４１がしばらく惰性で動いているので、開閉弁７１を閉弁状態とすることでミスト運転停止時における熱媒体の初期温度Ｔ0が確実に検知される。
【００２９】
さらに、ミスト弁７４を閉弁し、排水弁７５を開弁し、また、流量制御弁７２を閉弁する（Ｓ４）。これにより、排水路６４から液々熱交換器６１のミスト用給水路６３内の高温のミスト用温水を排水して、常温のミスト用水に入れ替えていく。
【００３０】
次に、前記ＯＦＦ信号を送信してから第１所定時間ｔ１（例えば、１８０秒）が経過したか否か判断し（Ｓ５）、第１所定時間ｔ１が経過すると給水弁７３及び排水弁７５を閉弁する（Ｓ６）。この第１所定時間ｔ１は、液々熱交換器６１におけるミスト用給水路６３内の高温のミスト用水が排水されて常温のミスト用水で充満されるまでの排水時間として設定している。また、この第１所定時間ｔ１は、熱源機コントローラ４２へＯＦＦ信号を送信しても循環ポンプ４１がしばらく惰性で動いており循環ポンプ４１が完全に停止するまでに一定時間掛かることから、循環ポンプ４１が完全停止するまでの待機時間ともなる。従って、本実施の形態では、この第１所定時間ｔ１を１８０秒とするが、機種等に応じて適宜に設定することができる。
【００３１】
次に、前記ＯＦＦ信号を送信してから第２所定時間ｔ２（例えば、３００秒）が経過するまでの間に（Ｓ８）、熱媒温度センサ８１による熱媒体の検出温度Ｔ1の初期温度Ｔ0からの低下温度が基準温度ΔＴ（例えば、３５℃）以上になったか否かを判断する（Ｓ７）。そして、この間の低下温度が基準温度ΔＴ未満の場合は（Ｓ７でＹｅｓ、Ｓ８でＹｅｓ）、自然放熱に伴う温度低下であるとし、リーク発生無しと判定する(Ｓ９)。そして、開閉弁７１を閉弁し(Ｓ１０)、リーク判定を終了させる。
【００３２】
一方、前記第２所定時間ｔ２が経過するまでの間に、検出温度Ｔ1と初期温度Ｔ0との温度差が基準温度ΔＴ以上となった場合は(Ｓ７でＮｏ)、自然放熱に伴う温度低下を超えて低下しているとし、リーク発生有りと判定する(Ｓ１１)。この場合、リモコン等にエラー表示(Ｓ１２)として、例えば故障ランプを点滅させる。そして、開閉弁７１を閉作動し(Ｓ１３)、リーク判定を終了させる。リーク有りと判定された場合は、以後のミスト運転は禁止する。
【００３３】
ここで、リーク判定中は、熱媒循環路５における液々熱交換器６１を介した一方側の流量制御弁７２は閉弁され、液々熱交換器６１を介した反対側の開閉弁７１は開弁されているので、液々熱交換器６１の熱媒体は、暖房用熱媒循環路５２の熱媒温度センサ８１を設けた開閉弁７１側に向かって流れ易くなる。従って、液々熱交換器６１でリークが発生していた場合は、ミスト用熱媒循環路５１内に流入した常温のミスト用水が熱媒温度センサ８１側へ流れ易くなり、熱媒温度センサ８１での検知感度が向上する。
【００３４】
なお、前記第２所定時間ｔ２は、液々熱交換器６１でのリークによって高温の熱媒体が自然放熱以上に冷却されるのを熱媒温度センサ８１で検知される時間として設定され、また、前記基準温度ΔＴは、一定時間内において高温の熱媒体が自然放熱による低下温度幅を超える温度幅として設定されている。従って、これら第２所定時間ｔ２や基準温度ΔＴは、機種等に応じて適宜に設定することができる。
【００３５】
図３のグラフは、リーク判定によりリーク無しと判定された場合の熱媒体の温度変化（実線で示す）と、リーク有りと判定された場合の熱媒体の温度変化（点線で示す）とを示している。液々熱交換器６１においてリークが生じていると、内部漏れによりミスト用熱媒循環路５１に常温のミスト用水が混入するため、混入したミスト用水の熱影響で熱媒体の温度が正常時に比し早く低下し、自然放熱による温度低下度合よりも急激に温度低下することになる。このことは、図３に示すように、リーク有りと判定された場合の熱媒体の温度変化はリーク無しの場合に比べて熱源機コントローラ４２へのＯＦＦ信号を送信してから１８０秒後から３００秒後の間の温度低下度合いが大きくなっていることからも明らかである。
【００３６】
なお、リーク有り判定のときのエラー表示としては、浴室１の壁面に設置した警告ランプを用い、この警告ランプを点滅表示させるようにしてもよいし、リモコンを用いてその表示面に文字もしくは絵文字を用いて警告表示を行なったり、警告灯の点滅表示等を行ったりしてもよい。さらに、浴室１内に設置した警報ブザーを吹鳴させたり、同様に設置したスピーカを用いて音声案内による警報を出力させたりするようにしてもよい。
【００３７】
以上のリーク判定処理によれば、リークが発生している場合には、ミスト運転制御終了後の早い時期に常温のミスト用水を高温の熱媒体に流入させるので、熱媒体が短時間で急激に温度低下され、リーク発生の有無の判定を短時間で確実に行うことができる。さらに、ミスト運転終了時点での熱媒体の高温残熱と、常温のミスト用水とを利用してリーク判定を行うようにしているため、リーク判定のためだけに熱源機４を燃焼作動させる必要がなく無駄に燃焼エネルギーを消費させることもない。
【００３８】
また、従来のように、リーク判定の際に、高温のミスト用水を排水することなくミスト用給水路６３の給水弁７３が開いたままになっていると、液々熱交換器６１でリークが発生していた場合は、リーク検知が遅く熱媒循環路５内に大量のミスト用水が流れ込み、熱媒体としての不凍液の濃度が非常に薄くなる問題が生じる。これに対して、本実施形態のミストサウナ装置では、ミスト用給水路６３内の高温のミスト用水を排水し常温のミスト用水に入れ替えた後に給水弁７３を閉弁してミスト用熱媒循環路５１内の熱媒体の温度変化を検出しているので、少しのリーク量で大きな温度変化を生じさせることができるので、不凍液の希釈化が抑制される。
【００３９】
なお、本発明は、前記実施形態に限定されるものではなく、種々の変更を施すことが可能である。
前記実施形態では、前記ＯＦＦ信号が送信されるとミスト用水の排水を開始し循環ポンプ４１が完全停止までの間（惰性回転している間）もミスト用水を排水するが、（Ｓ２〜Ｓ６）循環ポンプ４１が完全に停止するのに十分な所定時間が経過した後に給水弁７３及び排水弁７５を開弁してミスト用水を排水し、ミスト用水温度センサ８２でミスト用水の温度が所定温度（常温）まで低下したときに給水弁７３及び排水弁７５を閉弁して排水停止するようにしてもよい。これにより、排水されるミスト用水の熱交換加熱が防止され、排水量を少なくすることができ、リーク判定に使用される水道量を少なくすることができる。
【００４０】
また、ミストノズルヘッド３及び浴室暖房機２は、浴室１の天井にはめ込まれる天井設置タイプと、浴室１の側壁に取り付けられる壁掛け設置タイプとがあり、いずれのタイプであってもよし、ミストノズルヘッド３は浴室暖房機２に設けられてもよい。また、ミスト発生装置は、浴室暖房機と切り離して単独で使用されてもよい。
【符号の説明】
【００４１】
１  浴室
２  浴室暖房機
３  ミストノズルヘッド
４  熱源機
５  熱媒循環路
６  ミストユニット
４１  循環ポンプ
４２  熱源機コントローラ
５１  ミスト用熱媒循環路
５２  暖房用熱媒循環路
６１  液々熱交換器
６２  隔壁
６３  ミスト用給水路
６４  排水路
６５  ミストユニットコントローラ（制御部）
７１  開閉弁
７２  流量制御弁
７３  給水弁
７４  ミスト弁
７５  排水弁
８１  熱媒温度センサ（熱媒温度検出手段）
８２  ミスト用水温度センサ（ミスト用水温度検出手段）
【図１】
2011058769.tif 000003
【図２】
2011058769.tif 000004
【図３】
2011058769.tif 000005